(57)【要約】【課題】  和音となる高さの異なる３音を同時に発生することができると同時に、薄くて携帯に便利な警報笛を提供する。【解決手段】  第１送気路１７ａと第２送気路１７ｂと第３送気路１７ｃとが、笛本体２の厚み方向に直交する左右方向に並んで配置されると共に、第１共鳴室１８ａと第２共鳴室１８ｂと第３共鳴室１８ｃとが、前記第１送気路１７ａと第２送気路１７ｂと第３送気路１７ｃとにそれぞれ対応するように左右方向に並んで配置されて、笛本体２が厚み方向に薄い扁平状に形成されると共に、和音となる高さの異なる３音を同時に発生するように構成されている。【選択図】図１
0003178352.tif 000002
【実用新案登録請求の範囲】
【請求項１】
笛本体（２）に紐孔（３）が設けられてペンダントとして携帯することが可能であって、笛本体（２）に身元を明らかにするため住所、氏名、血液型等の表示（２５）が施されている警報笛において、
呼気が吹き込まれる吹込口（１６ａ，１６ｂ，１６ｃ）に連通する第１送気路（１７ａ）と第２送気路（１７ｂ）と第３送気路（１７ｃ）とが、笛本体（２）の厚み方向に直交する左右方向に並んで配置されると共に、第１共鳴室（１８ａ）と第２共鳴室（１８ｂ）と第３共鳴室（１８ｃ）とが、前記第１送気路（１７ａ）と第２送気路（１７ｂ）と第３送気路（１７ｃ）とにそれぞれ対応するように左右方向に並んで配置されて、笛本体（２）が厚み方向に薄い扁平状に形成されると共に、和音となる高さの異なる３音を同時に発生するように構成されていることを特徴とする警報笛。
【請求項２】
笛本体（２）は、厚み方向一端側の表部構成体（８）と厚み方向他端側の裏部構成体（９）とを接合してなり、表部構成体（８）と裏部構成体（９）との間に、前記吹込口（１６ａ，１６ｂ，１６ｃ）と第１送気路（１７ａ）と第２送気路（１７ｂ）と第３送気路（１７ｃ）と第１共鳴室（１８ａ）と第２共鳴室（１８ｂ）と第３共鳴室（１８ｃ）とが形成されていることを特徴とする請求項１に記載の警報笛。
【請求項３】
裏部構成体（９）に、表部構成体（８）に向けて厚み方向に突出した複数の仕切り壁（１４）が、左右方向に平行に並んで設けられ、該各仕切り壁（１４）は裏部構成体（９）の内面側に一端から他端に向けて細長く形成されており、左右に隣り合う仕切り壁（１４）間に、それぞれ吹込口（１６ａ，１６ｂ，１６ｃ）と送気路（１７ａ，１７ｂ，１７ｃ）と共鳴室（１８ａ，１８ｂ，１８ｃ）とが一端から他端に向けて順次形成されていることを特徴とする請求項２に記載の警報笛。
【請求項４】
笛本体（２）の一端部に、第１吹込口（１６ａ）と第２吹込口（１６ｂ）と第３吹込口（１６ｃ）とが左右方向に並んで配置され、これら第１吹込口（１６ａ）と第２吹込口（１６ｂ）と第３吹込口（１６ｃ）とは、前記複数の仕切り壁（１４）によって左右に仕切られてそれぞれ表部構成体（８）と裏部構成体（９）との間から笛本体（２）の一端面に向けて開口され、笛本体（２）の他端部に、前記紐孔（３）が表部構成体（８）と裏部構成体（９）とを厚み方向に貫通するように設けられ、表部構成体（８）に、第１送気路（１７ａ）と第２送気路（１７ｂ）と第３送気路（１７ｃ）とに連通する放音口（２１）が表部構成体（８）の表面に向けて開口するように設けられていることを特徴とする請求項２又は３に記載の警報笛。
【請求項５】
裏部構成体（９）の内面側の外周部に、表部構成体（８）に向けて厚み方向に突出した嵌合凸部（１２）が設けられ、表部構成体（８）の外周部が嵌合凸部（１２）に嵌合固着されていることを特徴とする請求項２〜４のいずれかに記載の警報笛。
【考案の詳細な説明】
【技術分野】
【０００１】
本考案は、災害時に助けを求めることができる警報笛に関するものである。
【背景技術】
【０００２】
地震等の災害時にがれきの下にいて衰弱していても容易に助けを求めることができるようにした警報笛には、笛本体に紐孔が設けられてペンダントとして携帯することが可能とされ、笛本体に住所、氏名、血液型等の表示が施されて、災害時等に身元を明らかにすることができるようにしたものがある（例えば特許文献１，２）。
【先行技術文献】
【特許文献】
【０００３】
【特許文献１】特開２００６−２５９２１６号公報
【特許文献２】特開平８−２２７２９２号公報
【考案の概要】
【考案が解決しようとする課題】
【０００４】
ところで、警報笛によって和音となる高さの異なる３音を同時に発生できるようにすれば、雑音があってもその音が遠くまで届き効果的に助けを求めることができるようになると考えられるが、警報笛を高さの異なる３音を同時に発生するように構成するためには、笛本体の構造が複雑になって警報笛を薄く形成することができなくなり、携帯性に問題が生じるおそれがあった。
本考案は上記問題点に鑑み、和音となる高さの異なる３音を同時に発生することができると同時に、薄くて携帯に便利な警報笛を提供することを目的とする。
【課題を解決するための手段】
【０００５】
本考案における課題解決のための具体的手段は、次の通りである。
この技術的課題を解決する本考案の技術的手段は、笛本体２に紐孔３が設けられてペンダントとして携帯することが可能であって、笛本体２に身元を明らかにするため住所、氏名、血液型等の表示２５が施されている警報笛において、
呼気が吹き込まれる吹込口１６ａ，１６ｂ，１６ｃに連通する第１送気路１７ａと第２送気路１７ｂと第３送気路１７ｃとが、笛本体２の厚み方向に直交する左右方向に並んで配置されると共に、第１共鳴室１８ａと第２共鳴室１８ｂと第３共鳴室１８ｃとが、前記第１送気路１７ａと第２送気路１７ｂと第３送気路１７ｃとにそれぞれ対応するように左右方向に並んで配置されて、笛本体２が厚み方向に薄い扁平状に形成されると共に、和音となる高さの異なる３音を同時に発生するように構成されている点にある。
また、本考案の他の技術的手段は、笛本体２は、厚み方向一端側の表部構成体８と厚み方向他端側の裏部構成体９とを接合してなり、表部構成体８と裏部構成体９との間に、前記吹込口１６ａ，１６ｂ，１６ｃと第１送気路１７ａと第２送気路１７ｂと第３送気路１７ｃと第１共鳴室１８ａと第２共鳴室１８ｂと第３共鳴室１８ｃとが形成されている点にある。
また、本考案の他の技術的手段は、裏部構成体９に、表部構成体８に向けて厚み方向に突出した複数の仕切り壁１４が、左右方向に平行に並んで設けられ、該各仕切り壁１４は裏部構成体９の内面側に一端から他端に向けて細長く形成されており、左右に隣り合う仕切り壁１４間に、それぞれ吹込口１６ａ，１６ｂ，１６ｃと送気路１７ａ，１７ｂ，１７ｃと共鳴室１８ａ，１８ｂ，１８ｃとが一端から他端に向けて順次形成されている点にある。
また、本考案の他の技術的手段は、笛本体２の一端部に、第１吹込口１６ａと第２吹込口１６ｂと第３吹込口１６ｃとが左右方向に並んで配置され、これら第１吹込口１６ａと第２吹込口１６ｂと第３吹込口１６ｃとは、前記複数の仕切り壁１４によって左右に仕切られてそれぞれ表部構成体８と裏部構成体９との間から笛本体２の一端面に向けて開口され、笛本体２の他端部に、前記紐孔３が表部構成体８と裏部構成体９とを厚み方向に貫通するように設けられ、表部構成体８に、第１送気路１７ａと第２送気路１７ｂと第３送気路１７ｃとに連通する放音口２１が表部構成体８の表面に向けて開口するように設けられている点にある。
また、本考案の他の技術的手段は、裏部構成体９の内面側の外周部に、表部構成体８に向けて厚み方向に突出した嵌合凸部１２が設けられ、表部構成体８の外周部が嵌合凸部１２に嵌合固着されている点にある。
【考案の効果】
【０００６】
請求項１によれば、吹込口から息を吹き込むことにより、和音となる高さの異なる３音を同時に発生させることができ、雑音があっても、３つの音が同時に響くため、その和音が遠くまで届き、警報笛で効果的に助けを求めることができ、地震等の災害時に、がれきの下にいて衰弱していても容易に助けを求めることができる。
しかも、警報笛は薄くて携帯に便利であり、ペンダントとして常時身につけることができて、笛本体に施した住所、氏名、血液型等の表示により、災害時等に身元を明らかにすることができる。
請求項２によれば、表部構成体と裏部構成体とで笛本体をコンパクトに形成できて、警報笛を容易かつ安価に製造することができる。
請求項３によれば、表部構成体と裏部構成体との接合によって、吹込口と第１送気路と第２送気路と第３送気路と第１共鳴室と第２共鳴室と第３共鳴室とを縦横に並べてコンパクトに配置形成することができ、笛本体をよりコンパクトで薄く形成することが可能になる。
請求項４によれば、表部構成体と裏部構成体との間に、３つの吹込口と３つの送気路と３つの共鳴室と紐孔とを整然と配置することが可能になり、この点からも笛本体の構造をより簡単になし得る。また、放音口を通して表部構成体の表面側から高さの異なる３つの音をスムーズに放出することができ、３つの音が同時に響いて雑音があっても遠くまで届くような和音を生じさせ得る。
請求項５によれば、表部構成体と裏部構成体とを嵌合によって簡単かつ確実に接合することができ、笛本体を容易に組み立てることができて、この点からも警報笛をより一層簡単かつ安価に製造することができるようになる。
【図面の簡単な説明】
【０００７】
【図１】本考案の一実施形態を示す警報笛を正面側から見た斜視図である。
【図２】同警報笛を背面側から見た斜視図である。
【図３】同警報笛の底面図である。
【図４】同表部構成体の背面図である。
【図５】同裏部構成体の正面図である。
【図６】同表示部の正面図である。
【考案を実施するための形態】
【０００８】
以下、本考案の実施の形態を図面に基づいて説明する。
図１〜図６は本考案の一実施形態を示している。図１〜図５において、警報笛１は、被災時に救助を求めるための音を発する笛本体２を備える。笛本体２の端部には紐孔３が設けられ、ここにストラップ５が挿通して連結されており、警報笛１を首に掛けることにより、ペンダントとして利用できるようになっている。
笛本体２は、厚み方向一端側の表部構成体８と厚み方向他端側の裏部構成体９とを接合してなり、表部構成体８と裏部構成体９とはそれぞれ銀その他の金属又は貴金属等によって小判形に形成されている。
裏部構成体９の内面側の外周部に、表部構成体８に向けて厚み方向に突出した嵌合凸部１２が設けられている。嵌合凸部１２は裏部構成体９の上縁部及び左右側縁部に添って逆Ｕ字状に形成されている。表部構成体８の外周部が嵌合凸部１２に嵌合固着され、これにより、表部構成体８と裏部構成体９とが互いに接合されて、笛本体２が構成されている。
例えば、笛本体２乃至裏部構成体９の左右幅Ｌ１は２３ｍｍ程度に設定され、笛本体２乃至裏部構成体９の上下幅Ｌ２は４０ｍｍ程度に設定され、笛本体２の厚みＬ３は５．６ｍｍ程度に設定されている。また、笛本体２は重量が２５ｇ程度の軽量になっている。
裏部構成体９の内面側に、表部構成体８に向けて厚み方向に突出した４本の仕切り壁１４が、左右方向に平行に並んで設けられ、該各仕切り壁１４は裏部構成体９の内面側に一端（下端）から他端（上端）に向けて細長く形成されており、左右に隣り合う仕切り壁１４間に、それぞれ吹込口１６ａ，１６ｂ，１６ｃと送気路１７ａ，１７ｂ，１７ｃと共鳴室１８ａ，１８ｂ，１８ｃとが一端から他端に向けて順次形成されている。
而して、表部構成体８と裏部構成体９との間に、呼気が吹き込まれる第１吹込口１６ａと第２吹込口１６ｂと第３吹込口１６ｃとが形成されると共に、吹込口１６ａ，１６ｂ，１６ｃに連通する第１送気路１７ａと第２送気路１７ｂと第３送気路１７ｃとが形成され、さらに、表部構成体８と裏部構成体９との間に、第１共鳴室１８ａと第２共鳴室１８ｂと第３共鳴室１８ｃとが形成されている。
また、第１吹込口１６ａと第２吹込口１６ｂと第３吹込口１６ｃとは、笛本体２の一端部（下端部）に左右方向に並んで配置され、これらは前記複数の仕切り壁１４によって左右に仕切られてそれぞれ表部構成体８と裏部構成体９との間から笛本体２の一端面に向けて開口されている。笛本体２の他端部（上端部）に、前記紐孔３が表部構成体８と裏部構成体９とを厚み方向に貫通するように設けられている。
そして、第１吹込口１６ａと第２吹込口１６ｂと第３吹込口１６ｃとにそれぞれ連通する第１送気路１７ａと第２送気路１７ｂと第３送気路１７ｃとが、笛本体２の厚み方向に直交する左右方向に並んで配置されると共に、第１共鳴室１８ａと第２共鳴室１８ｂと第３共鳴室１８ｃとが、前記第１送気路１７ａと第２送気路１７ｂと第３送気路１７ｃとにそれぞれ対応するように左右方向に並んで配置されて、笛本体２が厚み方向に薄い扁平状に形成されると共に、和音となる高さの異なる３音を同時に発生するように構成されている。
表部構成体８の中途部に、第１送気路１７ａと第２送気路１７ｂと第３送気路１７ｃとに連通する放音口２１が表部構成体８の表面に向けて開口するように設けられている。
裏部構成体９の背面（裏面）には表示部２３が設けられ、この表示部２３に、図６に示すように、警報笛１の所有者の身元を明らかにするために氏名、住所、電話番号、国名、血液型及び生年月日の表示２５が施されている。より具体的には、本実施形態では、表示部２３に、氏名を名、姓の順にアルファベットで施した表示２５ａと、住所をアルファベットで施した表示２５ｂと、電話番号を数字で施した表示２５ｃと、国名をアルファベットで施した表示２５ｄと、血液型をアルファベットで施した表示２５ｅと、生年月日を日、月、年の順に数字又はアルファベットで施した表示２５ｆとが設けられている。
なお、氏名、生年月日、住所、血液型及び電話番号等の表示２５は、裏部構成体９の背面に直接刻印又は印刷するようにしてもよいし、表示２５を印刷した表示シートを貼り付けるようにしてもよい。
前記実施形態によれば、呼気が吹き込まれる吹込口１６ａ，１６ｂ，１６ｃに連通する第１送気路１７ａと第２送気路１７ｂと第３送気路１７ｃとが、笛本体２の厚み方向に直交する左右方向に並んで配置されると共に、第１共鳴室１８ａと第２共鳴室１８ｂと第３共鳴室１８ｃとが、前記第１送気路１７ａと第２送気路１７ｂと第３送気路１７ｃとにそれぞれ対応するように左右方向に並んで配置されて、笛本体２が厚み方向に薄い扁平状に形成されると共に、和音となる高さの異なる３音を同時に発生するように構成されているので、吹込口１６ａ，１６ｂ，１６ｃから息を吹き込むことにより、和音となる高さの異なる３音を同時に発生させることができ、雑音があっても、３つの音が同時に響くため、その和音が遠くまで届き、警報笛１で効果的に助けを求めることができ、地震等の災害時に、がれきの下にいて衰弱していても容易に助けを求めることができる。
しかも、警報笛１は薄くて携帯に便利であり、ペンダントとして常時身につけることができて、笛本体２に施した住所、氏名、血液型等の表示２５により、災害時等に身元を明らかにすることができる。
より具体的には、笛本体２は、金属または貴金属によって装飾性に富む形態に作製されており、形状的にも美しく、軽量であるため、ペンダントとして常時身に付けおくことができる。このため、ペンダントとして常時身に付けることにより、震災時等において倒壊家屋の下からでも、声が届かない場合や体力が弱って声が出せなくなった場合でも、笛本体２の第１吹込口１６ａ、第２吹込口１６ｂ及び第３吹込口１６ｃから息を吹き込むだけで、笛本体２から和音となる高さの異なる３音を同時に発生させることができ、雑音があってもその和音が遠くまで届き、警報笛１で効果的に助けを求めることができる。
また、警報笛１をペンダントとして身に付けることにより、不意に倒れたときに警報笛１で近所の人に効果的に助けを求めることができる。また、道に迷ったり遭難したりしたときにも、警報笛１で効果的に助けを求めることができる。しかも、笛本体２の背面に形成した表示部２３に、住所や氏名、生年月日、血液型を表示２５してあるので、震災時に発生する火災等に巻き込まれた場合でも、確実に身元を明らかにすることができる。
また、前記実施形態では、笛本体２は、厚み方向一端側の表部構成体８と厚み方向他端側の裏部構成体９とを接合してなり、表部構成体８と裏部構成体９との間に、前記吹込口１６ａ，１６ｂ，１６ｃと第１送気路１７ａと第２送気路１７ｂと第３送気路１７ｃと第１共鳴室１８ａと第２共鳴室１８ｂと第３共鳴室１８ｃとが形成されているので、表部構成体８と裏部構成体９とで笛本体２をコンパクトに形成できて、警報笛１を容易かつ安価に製造することができる。
また、裏部構成体９に、表部構成体８に向けて厚み方向に突出した複数の仕切り壁１４が、左右方向に平行に並んで設けられ、該各仕切り壁１４は裏部構成体９の内面側に一端から他端に向けて細長く形成されており、左右に隣り合う仕切り壁１４間に、それぞれ吹込口１６ａ，１６ｂ，１６ｃと送気路１７ａ，１７ｂ，１７ｃと共鳴室１８ａ，１８ｂ，１８ｃとが一端から他端に向けて順次形成されているので、表部構成体８と裏部構成体９との接合によって、吹込口１６ａ，１６ｂ，１６ｃと第１送気路１７ａと第２送気路１７ｂと第３送気路１７ｃと第１共鳴室１８ａと第１共鳴室１８ａと第３共鳴室１８ｃとを縦横に並べてコンパクトに配置形成することができ、笛本体２をよりコンパクトで薄く形成することが可能になる。
また、笛本体２の一端部に、第１吹込口１６ａと第２吹込口１６ｂと第３吹込口１６ｃとが左右方向に並んで配置され、これら第１吹込口１６ａと第２吹込口１６ｂと第３吹込口１６ｃとは、前記複数の仕切り壁１４によって左右に仕切られてそれぞれ表部構成体８と裏部構成体９との間から笛本体２の一端面に向けて開口され、笛本体２の他端部に、前記紐孔３が表部構成体８と裏部構成体９とを厚み方向に貫通するように設けられ、表部構成体８に、第１送気路１７ａと第２送気路１７ｂと第３送気路１７ｃとに連通する放音口２１が表部構成体８の表面に向けて開口するように設けられているので、表部構成体８と裏部構成体９との間に、３つの吹込口１６ａ，１６ｂ，１６ｃと３つの送気路１７ａ，１７ｂ，１７ｃと３つの共鳴室１８ａ，１８ｂ，１８ｃと紐孔３とを整然と配置することが可能になり、この点からも笛本体２の構造をより簡単になし得る。また、放音口２１を通して表部構成体８の表面側から高さの異なる３つの音をスムーズに放出することができ、３つの音が同時に響いて雑音があっても遠くまで届くような和音を生じさせ得る。
また、裏部構成体９の内面側の外周部に、表部構成体８に向けて厚み方向に突出した嵌合凸部１２が設けられ、表部構成体８の外周部が嵌合凸部１２に嵌合固着されているので、表部構成体８と裏部構成体９とを嵌合によって簡単かつ確実に接合することができ、笛本体２を容易に組み立てることができて、この点からも警報笛１をより一層簡単かつ安価に製造することができるようになる。
なお、前記実施形態では、笛本体２の一端部に、第１吹込口１６ａと第２吹込口１６ｂと第３吹込口１６ｃとが左右方向に並んで配置されているが、これに代え、例えば第１吹込口１６ａと第２吹込口１６ｂと第３吹込口１６ｃとの間の仕切り壁１４の一端部をそれぞれ切り欠くことによって、笛本体２の一端部に吹込口を１つだけ設け、この吹込口に連通する第１送気路１７ａと第２送気路１７ｂと第３送気路１７ｃとを左右に分岐して設けるようにしてもよい。
【符号の説明】
【０００９】
１      警報笛
２      笛本体
３      紐孔
８      表部構成体
９      裏部構成体
１２    嵌合凸部
１４    仕切り壁
１６ａ  第１吹込口
１６ｂ  第２吹込口
１６ｃ  第３吹込口
１７ａ  第１送気路
１７ｂ  第２送気路
１７ｃ  第３送気路
１８ａ  第１共鳴室
１８ｂ  第２共鳴室
１８ｃ  第３共鳴室
２１    放音口
２５    表示
【図１】
0003178352.tif 000003
【図２】
0003178352.tif 000004
【図３】
0003178352.tif 000005
【図４】
0003178352.tif 000006
【図５】
0003178352.tif 000007
【図６】
0003178352.tif 000008